(57)【要約】【課題】ウエアラブルカメラにおける撮影方法、撮像装置、及び撮影制御プログラムの提供。【解決手段】電子カメラは、撮影者がカメラを構えて所望の構図の画像を得る通常の撮影（以下、本画像撮影）と、カメラを身につけたままで自動撮影する（以下、メモ画像撮影（図９参照））を可能とするため、押し下げにより撮影を行う通常のシャッターキーに加え、音響等のトリガを検出したときをメモ画像の撮像指示があった時として、その時点のメモ画像を保存記録する。なお、ウエアラブル専用のカメラ、つまり、図９（ｂ）、図９（ｃ）に示すようにするように衣服や帽子等に付けて自動撮影するカメラではシャッターキーは設けなくてもよい。【選択図】  図９
2004356970.tif 000002
【特許請求の範囲】
【請求項１】
被写体を撮影してその画像データを生成し、該画像データを所定のデータファイルとして保存メモリに記録する電子カメラにおいて、
ユーザの意志によってシャッターを押して撮影する通常撮影モードと、該電子カメラをユーザの身につけて所定のトリガにより自動的に撮影するウエアラブル撮影モードとを有し、
前記ウエアラブル撮影モードの際に、トリガを発するステップと、前記発したトリガを検出するステップと、前記トリガの検出に基づき、その時点で取り込まれる画像データを前記通常撮影モードで撮影した画像とは画像記録方法を変えて保存メモリに記録するステップと、を備えたことを特徴とするウエアラブルカメラの撮影方法。
【請求項２】
被写体を撮影してその画像データを生成し、該画像データを所定のデータファイルとして保存メモリに記録する電子カメラにおいて、
ユーザの意志によってシャッターを押して撮影する通常撮影モードと、該電子カメラをユーザの身につけて所定のトリガにより自動的に撮影するウエアラブル撮影モードとを有し、
前記ウエアラブル撮影モードの際に、取り込んだ画像データを周期的に保存メモリに記録するステップと、所定のトリガを発するステップと、前記発したトリガを検出するステップと、前記トリガの検出に基づき、その時点で取り込まれる画像データを前記周期的に記録される画像とは記録方法を変えて保存メモリに記録するステップと、を備えたことを特徴とするウエアラブルカメラの撮影方法。
【請求項３】
被写体を撮影してその画像データを生成し、該画像データを所定のデータファイルとして保存メモリに記録する電子カメラにおいて、
ユーザの意志によって第１のシャッターを押して撮影する通常撮影モードと、該電子カメラをユーザの身につけて所定のトリガにより撮影するウエアラブル撮影モードとを有し、
前記ウエアラブル撮影モードの際に、前記第１のシャッターとは別の第２のシャッター操作を検知すると、その時点で取り込まれる画像データを前記通常撮影モードで撮影した画像とは記録方法を変えて保存メモリに記録することを特徴とするウエアラブルカメラの撮影方法。
【請求項４】
前記所定のトリガは音響発生部材を介して発せられる音響であることを特徴とする請求項１又は２に記載のウエアラブルカメラの撮影方法。
【請求項５】
前記画像記録方法は、ウエアラブル撮影モードで撮影した画像を記録するフォルダと通常撮影モードで撮影した画像を記録するフォルダを別にしたことを特徴とする請求項１又は３に記載のウエアラブルカメラの撮影方法。
【請求項６】
前記画像記録方法は、ウエアラブル撮影モードで撮影した画像のサイズを通常撮影モードで撮影した画像のサイズと異なるようにして保存メモリに記録することを特徴とする請求項１又は３に記載のウエアラブルカメラの撮影方法。
【請求項７】
前記画像記録方法は、ウエアラブル撮影モードで撮影した画像の記録密度を通常撮影モードで撮影した画像の記録密度と異なるようにして保存メモリに記録することを特徴とする請求項１又は３に記載のウエアラブルカメラの撮影方法。
【請求項８】
前記画像記録方法は、所定のトリガの検出に基づく撮影画像を記録するフォルダと、周期的に記録した撮影画像を記録するフォルダとを互いに異ならせたことを特徴とする請求項２に記載のウエアラブルカメラの撮影方法。
【請求項９】
前記画像記録方法は、所定のトリガの検出に基づく撮影画像のサイズを、周期的に記録した撮影画像のサイズと異なるようにして保存メモリに記録することを特徴とする請求項２に記載のウエアラブルカメラの撮影方法。
【請求項１０】
前記画像記録方法は、所定のトリガの検出に基づく撮影画像の記録密度を周期的に記録した撮影画像の記録密度と異なるようにして保存メモリに記録することを特徴とする請求項２に記載のウエアラブルカメラの撮影方法。
【請求項１１】
前記画像記録方法は、ユーザの発するトリガの検出に基づき、周期的に記録した撮影画像のうち最も新しい画像以外の画像を消去することを特徴とする請求項２に記載のウエアラブルカメラの撮影方法。
【請求項１２】
被写体を撮影してその画像データを生成し、該画像データを所定のデータファイルとして保存メモリに記録する電子カメラにおいて、
ユーザの意志によってシャッターを押して撮影する本画像撮影モードと、該電子カメラをユーザの身につけて所定のトリガにより自動的に撮影するメモ画像撮影モードとを有し、
前記メモ画像撮影モードの際に、所定のトリガを検出するトリガ検出手段と、前記トリガ検出手段によるトリガの検出に基づき、その時点で取り込まれる画像データを前記通常撮影モードで撮影した画像とは画像記録方法を変えて保存メモリに記録するメモ画像記録手段と、を備えたことを特徴とする撮像装置。
【請求項１３】
被写体を撮影してその画像データを生成する撮像手段と、該画像データを所定のデータファイルとして保存メモリに記録する電子カメラにおいて、
ユーザの意志によってシャッターを押して撮影する本画像撮影モードと、該電子カメラをユーザの身につけて所定のトリガにより自動的に撮影するメモ画像撮影モードとを有し、
前記メモ画像撮影モードの際に、取り込んだ画像データを周期的に保存メモリに記録するメモ画像自動記録手段と、所定のトリガを検出するトリガ検出手段と、前記トリガ検出手段によるトリガの検出に基づき、その時点で取り込まれる画像データを前記メモ画像自動記録手段によって記録された画像とは記録方法を変えて保存メモリに記録する画像記録手段と、を備えたことを特徴とする撮像装置。
【請求項１４】
被写体を撮影してその画像データを生成し、該画像データを所定のデータファイルとして保存メモリに記録する電子カメラにおいて、
ユーザの意志によって第１のシャッターを押して撮影する本画像撮影モードと、該電子カメラをユーザの身につけて所定のトリガにより撮影するメモ画像撮影モードとを有し、
前記第１のシャッターとは異なる第２のシャッターと、前記メモ画像撮影モードの際に、前記第２のシャッター操作によるトリガを検出するトリガ検出手段と、その時点で取り込まれる画像データを前記本画像撮影モードで撮影した画像とは記録方法を変えて保存メモリに記録するメモ画像記録手段と、を備えたことを特徴とする撮像装置。
【請求項１５】
前記所定のトリガは音響発生部材を介して発せられる音響であり、前記トリガ検出手段は音響発生部材を介して発せられる音響を検出する手段であることを特徴とする請求項１２又は１３に記載の撮像装置。
【請求項１６】
前記メモ画像記録手段は、メモ画像撮影モードで撮影した画像を本画像撮影モードで撮影した画像を記録するフォルダとは別のフォルダに記録することを特徴とする請求項１２又は１４に記載の撮像装置。
【請求項１７】
前記メモ画像記録手段は、メモ画像撮影モードで撮影した画像のサイズを本画像撮影モードで撮影した画像のサイズと異なるようにして保存メモリに記録することを特徴とする請求項１２又は１４に記載の撮像装置。
【請求項１８】
前記メモ画像記録手段は、メモ画像撮影モードで撮影した画像の記録密度を本画像撮影モードで撮影した画像の記録密度と異なるようにして保存メモリに記録することを特徴とする請求項１２又は１４に記載の撮像装置。
【請求項１９】
前記メモ画像記録手段は、所定のトリガの検出に基づく撮影画像を、周期的に記録した撮影画像を記録するフォルダと異なるフォルダに記録することを特徴とする請求項１３に記載の撮像装置。
【請求項２０】
前記メモ画像記録手段は、所定のトリガの検出に基づく撮影画像のサイズを、周期的に記録した撮影画像のサイズと異なるようにして保存メモリに記録することを特徴とする請求項１３に記載の撮像装置。
【請求項２１】
前記メモ画像記録手段は、所定のトリガの検出に基づく撮影画像の記録密度を周期的に記録した撮影画像の記録密度と異なるようにして保存メモリに記録することを特徴とする請求項１３に記載の撮像装置。
【請求項２２】
前記メモ画像記録方法は、ユーザの発するトリガの検出に基づき、周期的に記録した撮影画像のうち最も新しい画像以外の画像を消去することを特徴とする請求項１３記載の撮像装置。
【請求項２３】
被写体を撮影してその画像データを生成し、該画像データを所定のデータファイルとして保存メモリに記録する電子カメラにおいて実行可能なプログラムであって、
電子カメラをユーザの身に付けて撮影を行うウエアラブル撮影モードを選択させるプログラムステップと、被写体像を画像データに変換してワークメモリに取り込ませるプログラムステップと、ユーザの発するトリガを検出させるプログラムステップと、前記トリガの検出に基づき、その時点でワークメモリに取り込まれる画像データをウエアラブル撮影モード以外の撮影モードで撮影した画像とは画像記録方法を変えて保存メモリに記録させるステップと、を含むことを特徴とする撮影制御プログラム。
【請求項２４】
被写体を撮影してその画像データを生成し、該画像データを所定のデータファイルとして保存メモリに記録する電子カメラにおいて実行可能なプログラムであって、
電子カメラをユーザの身に付けて撮影を行うウエアラブル撮影モードを選択させるプログラムステップと、被写体像を画像データに変換してワークメモリに取り込ませるプログラムステップと、取り込まれた画像データを所定の周期で保存メモリに記録させるプログラムステップと、ユーザの発するトリガを検出させるプログラムステップと、前記トリガの検出に基づき、その時点でワークメモリに取り込まれる画像データを前記所定の周期で記録される画像とは記録方法を変えて保存メモリに記録させるプログラムステップと、を含むことを特徴とするウエアラブルカメラの撮影制御プログラム。
【請求項２５】
被写体を撮影してその画像データを生成し、該画像データを所定のデータファイルとして保存メモリに記録する第１のシャッターキーと第２のシャッターキーを備えた電子カメラにおいて実行可能なプログラムであって、
電子カメラをユーザの身に付けて撮影を行う際に、それ以外の撮影で用いる第１のシャッターキーとは別の第２のシャッターキーの操作の有無を検出させるステップと、前記第２のシャッターキー操作が検出されると、その時点で取り込まれる画像データをウエアラブルな撮影以外の撮影モードで撮影した画像とは記録方法を変えて保存メモリに記録させるステップと、を含むことを特徴とするウエアラブルカメラの撮影制御プログラム。
【発明の詳細な説明】
【０００１】
【発明の属する技術分野】
本発明は、デジタルカメラ等の撮像装置に関し、特に、身につけて撮影することのできるウエアラブルカメラ（ＷＥＡＲＡＢＬＥ    ＣＡＭＥＲＡ）の撮影方法、撮像装置及び撮影制御プログラムに関する。
【０００２】
【従来の技術】
デジタルカメラ等のカメラの小型化に伴い、腕時計型カメラのような身につけて用いるいわゆるウエアラブルカメラが開発されている（例えば、特許文献１参照）。
【０００３】
また、撮影した画像データをメモリに記憶する際、ファイル名やフォルダ名を元にフォルダに分けて記憶する技術（例えば、特許文献２参照）、キーワードによりフォルダに自動仕訳する技術（例えば、特許文献３参照）、属性によりフォルダに自動仕訳する技術（例えば、特許文献４参照）、用途別にフォルダに自動仕訳する技術（例えば、特許文献５参照）、撮影者別フォルダに自動仕訳する技術（例えば、特許文献６参照）がある。
【０００４】
また、自動撮影に関する技術として、距離により自動撮影するもの（例えば、特許文献７参照）、特定条件を満たしたとき自動撮影するもの（例えば、特許文献８参照）、撮影者のまばたきを検出して自動撮影するもの（例えば、特許文献９参照）、撮影者の視線を検出して自動撮影するもの（例えば、特許文献１０参照）がある。
【０００５】
【特許文献１】
特開２００１−２７４９３６号公報
【特許文献２】
特開２００３−３７７７０号公報
【特許文献３】
特開平１１−２６２０３０号公報
【特許文献４】
特開２００１−５７０５６号公報
【特許文献５】
特開２００１−１６９２２２号公報
【特許文献６】
特開２００２−２８１４３９号公報
【特許文献７】
特開平６−９４９６８号公報
【特許文献８】
特開２０００−３４７２７７号公報
【特許文献９】
特開平５−４０３０３号公報
【特許文献１０】
特開平４−１５６５２６号公報
【０００６】
【発明が解決しようとする課題】
今後、更にデジタルカメラの小型化、ウエアラブル化が進めば、身につけた状態で自動撮影できる機能が要請されることが必至である。例えば、上記特許文献１記載のカメラで腕につけたまま自動撮影するものや、衣服や装備に取り付けておき撮影をするもの、通常のカメラの形をしていても首にかけたままで自動撮影するもの等を考えることができるが、ウエアラブルなカメラではシャッター操作による撮影のほか、ある条件の下で自動撮影した画像を楽しむといったことも期待できる。また、ユーザが様々な利用方法を自ら考案して楽しむことも期待できる。また、この場合、シャッター操作による撮影画像と自動撮影による撮影画像を区別して保存できれば便利である。更に、この際、カメラの小型化による画像記憶容量の制限を回避し得ることが望ましい。
【０００７】
本発明は、上記課題を解決するためになされたものであり、ウエアラブルなデジタルカメラ（ウエアラブルカメラ）の撮影方法、撮像装置、及び撮影制御プログラムの提供を目的とする。
【０００８】
【課題を解決するための手段】
上記課題を解決するために、請求項１に記載の発明では、被写体を撮影してその画像データを生成し、該画像データを所定のデータファイルとして保存メモリに記録する電子カメラにおいて、ユーザの意志によってシャッターを押して撮影する通常撮影モードと、該電子カメラをユーザの身につけて所定のトリガにより自動的に撮影するウエアラブル撮影モードとを有し、ウエアラブル撮影モードの際に、トリガを発するステップと、発したトリガを検出するステップと、トリガの検出に基づき、その時点で取り込まれる画像データを通常撮影モードで撮影した画像とは画像記録方法を変えて保存メモリに記録するステップと、を備えたことを特徴とするウエアラブルカメラの撮影方法を提供する。
これにより、ユーザはウエアラブル撮影モードに設定した電子カメラを身につけてから、任意の時点でトリガを発することによりウエアラブルな撮影による画像を得ることができる。例えば、ガードマン等の衣服や帽子にウエアラブル撮影モードに設定した電子カメラを装着するようにして、巡回の際、トリガを発して画像を撮影することができるので、不審者や被害状況等を迅速に撮影できる。また、ウエアラブル撮影モードで撮影した画像の記録方法を通常撮影モードによる画像の記録方法と変えてあるので、再生や整理がし易い。
【０００９】
また、請求項２に記載の発明では、被写体を撮影してその画像データを生成し、該画像データを所定のデータファイルとして保存メモリに記録する電子カメラにおいて、ユーザの意志によってシャッターを押して撮影する通常撮影モードと、該電子カメラをユーザの身につけて所定のトリガにより自動的に撮影するウエアラブル撮影モードとを有し、ウエアラブル撮影モードの際に、取り込んだ画像データを周期的に保存メモリに記録するステップと、所定のトリガを発するステップと、発したトリガを検出するステップと、トリガの検出に基づき、その時点で取り込まれる画像データを周期的に記録される画像とは記録方法を変えて保存メモリに記録するステップと、を備えたことを特徴とするウエアラブルカメラの撮影方法を提供する。
これにより、ユーザはウエアラブル撮影モードに設定した電子カメラを身につけておけば所定周期で画像が自動撮影される。更に、任意の時点でトリガを発することにより、最新の画像を別にして撮影することができる。例えば、ウエアラブル撮影モードに設定した電子カメラを衣服や帽子等に装着したガードマン等が巡回中、気が付かなくても巡回中に所定時間間隔で自動的に撮影を行うことができるし、不審な人物を発見したような場合に、トリガを発することによりその人物の画像を自動撮影した画像より高密度で撮影することもできる。また、その時撮影した画像の撮影時刻を基に、自動撮影した画像を調べ、人物の挙動を把握することもできる。
【００１０】
また、請求項３に記載の発明では、被写体を撮影してその画像データを生成し、該画像データを所定のデータファイルとして保存メモリに記録する電子カメラにおいて、ユーザの意志によって第１のシャッターを押して撮影する通常撮影モードと、該電子カメラをユーザの身につけて所定のトリガにより撮影するウエアラブル撮影モードとを有し、ウエアラブル撮影モードの際に、第１のシャッターとは別の第２のシャッター操作を検知すると、その時点で取り込まれる画像データを通常撮影モードで撮影した画像とは記録方法を変えて保存メモリに記録することを特徴とするウエアラブルカメラの撮影方法を提供する。
これにより、撮影モードの設定操作なしに通常撮影モードによる撮影とウエアラブル撮影モードによる撮影を行うことができる。また、ウエアラブル撮影モードで撮影した画像の記録方法が通常撮影モードで撮影した画像と異なるので、撮影方法による画像の出力や整理が簡単に行える。
【００１１】
また、請求項４の発明は、所定のトリガは音響発生部材を介して発せられる音響であることを特徴とする請求項１又は２に記載のウエアラブルカメラの撮影方法を提供する。これにより、ユーザは音響発生部材を操作するだけで（身につけた電子カメラのシャッター操作なしで）画像を撮影することができるので、電子カメラを装着する部位が限定されない。
【００１２】
また、請求項５に記載の発明では、画像記録方法は、ウエアラブル撮影モードで撮影した画像を記録するフォルダと通常撮影モードで撮影した画像を記録するフォルダを別にしたことを特徴とする請求項１又は３に記載のウエアラブルカメラの撮影方法を提供する。これにより、ウエアラブル撮影モードで撮影した画像の記録方法を通常撮影モードによる画像の記録方法と変えてあるので、再生や整理がし易い。
【００１３】
また、請求項６に記載の発明では、画像記録方法は、ウエアラブル撮影モードで撮影した画像のサイズを通常撮影モードで撮影した画像のサイズと異なるようにして保存メモリに記録することを特徴とする請求項１又は３に記載のウエアラブルカメラの撮影方法を提供する。これにより、ウエアラブル撮影モードで撮影した画像のサイズを通常撮影モードで撮影した画像のサイズより小さくして保存メモリの記憶容量を節約することができる。
【００１４】
また、請求項７に記載の発明では、画像記録方法は、ウエアラブル撮影モードで撮影した画像の記録密度を通常撮影モードで撮影した画像の記録密度と異なるようにして保存メモリに記録することを特徴とする請求項１又は３に記載のウエアラブルカメラの撮影方法を提供する。これにより、例えば、ウエアラブル撮影モードで撮影した画像の圧縮率を通常撮影モードで撮影した画像の圧縮率より大きくして（＝通常撮影モードで撮影した画像がウエアラブル撮影モードで撮影した画像より高精細となる）、保存メモリの記憶容量を節約できる。
【００１５】
また、請求項８に記載の発明では、画像記録方法は、ウエアラブル撮影モードにおいて、所定のトリガの検出に基づく撮影画像を記録するフォルダと、自動的に撮影した画像（＝周期的に記録した撮影画像）を記録するフォルダとを互いに異ならせたことを特徴とする請求項２に記載のウエアラブルカメラの撮影方法を提供する。これにより、トリガを発して撮影した画像を直ちに再生できるし、必要に応じてその再生画像に関係する自動撮影画像を再生して経過を検証できる。
【００１６】
また、請求項９に記載の発明では、画像記録方法は、所定のトリガの検出に基づく撮影画像のサイズを、周期的に記録した撮影画像のサイズと異なるようにして保存メモリに記録することを特徴とする請求項２に記載のウエアラブルカメラの撮影方法を提供する。これにより、ウエアラブル撮影モードにおいて、自動撮影により数多く撮影される画像のサイズをトリガの検出に基づく撮影画像や通常撮影モードで撮影した画像のサイズより小さくして保存メモリの記憶容量を節約できる。
【００１７】
また、請求項１０に記載の発明では、画像記録方法は、所定のトリガの検出に基づく撮影画像の記録密度を周期的に記録した撮影画像の記録密度と異なるようにして保存メモリに記録することを特徴とする請求項２に記載のウエアラブルカメラの撮影方法を提供する。
これにより、例えば、ウエアラブル撮影モードにおいて自動撮影により数多く撮影される画像の圧縮率をトリガの検出に基づく撮影画像や通常撮影モードで撮影した画像の圧縮率より大きくして保存メモリの記憶容量を節約できる。また、トリガを発して撮影した画像の記録密度を高精密にすることにより、画像の資料又は証拠としての価値を高めることができる。
【００１８】
また、請求項１１に記載の発明では、画像記録方法は、ユーザの発するトリガの検出に基づき、周期的に記録した撮影画像のうち最も新しい画像以外の画像を消去することを特徴とする請求項２に記載のウエアラブルカメラの撮影方法を提供する。これにより、ウエアラブル撮影モードにおいて自動撮影される数多くの画像のうち、ユーザが注目した被写体の画像のみを保存するので保存メモリの記憶容量を節約できる。
【００１９】
また、請求項１２に記載の発明では、被写体を撮影してその画像データを生成し、該画像データを所定のデータファイルとして保存メモリに記録する電子カメラにおいて、ユーザの意志によってシャッターを押して撮影する本画像撮影モードと、該電子カメラをユーザの身につけて所定のトリガにより自動的に撮影するメモ画像撮影モードとを有し、メモ画像撮影モードの際に、所定のトリガを検出するトリガ検出手段と、トリガ検出手段によるトリガの検出に基づき、その時点で取り込まれる画像データを通常撮影モードで撮影した画像とは画像記録方法を変えて保存メモリに記録するメモ画像記録手段と、を備えたことを特徴とする撮像装置を提供する。
これにより、請求項１に記載の発明と同様の効果を得ることができる。また、メモ画像撮影モードで撮影した画像の記録方法を本画像撮影モードによる画像の記録方法と変えてあるので、再生や整理がし易い。
【００２０】
また、請求項１３に記載の発明では、被写体を撮影してその画像データを生成する撮像手段と、該画像データを所定のデータファイルとして保存メモリに記録する電子カメラにおいて、ユーザの意志によってシャッターを押して撮影する本画像撮影モードと、該電子カメラをユーザの身につけて所定のトリガにより自動的に撮影するメモ画像撮影モードとを有し、メモ画像撮影モードの際に、取り込んだ画像データを周期的に保存メモリに記録するメモ画像自動記録手段と、所定のトリガを検出するトリガ検出手段と、トリガ検出手段によるトリガの検出に基づき、その時点で取り込まれる画像データをメモ画像自動記録手段によって記録された画像とは記録方法を変えて保存メモリに記録する画像記録手段と、を備えたことを特徴とする撮像装置を提供する。これにより、請求項２に記載の発明と同様の効果を得ることができる。
【００２１】
また、請求項１４に記載の発明では、被写体を撮影してその画像データを生成し、該画像データを所定のデータファイルとして保存メモリに記録する電子カメラにおいて、ユーザの意志によって第１のシャッターを押して撮影する本画像撮影モードと、該電子カメラをユーザの身につけて所定のトリガにより撮影するメモ画像撮影モードとを有し、第１のシャッターとは異なる第２のシャッターと、メモ画像撮影モードの際に、第２のシャッター操作によるトリガを検出するトリガ検出手段と、その時点で取り込まれる画像データを本画像撮影モードで撮影した画像とは記録方法を変えて保存メモリに記録するメモ画像記録手段と、を備えたことを特徴とする撮像装置を提供する。
これにより、撮影モードの設定操作なしに本画像撮影モードによる撮影とメモ画像撮影モードによる撮影を行うことができる。また、メモ画像撮影モードで撮影した画像の記録方法が本画像撮影モードで撮影した画像と異なるので、撮影方法による画像の出力や整理が簡単に行える。
【００２２】
また、請求項１５に記載の発明では、所定のトリガは音響発生部材を介して発せられる音響であり、トリガ検出手段は音響発生部材を介して発せられる音響を検出する手段であることを特徴とする請求項１２又は１３に記載の撮像装置を提供する。これにより、ユーザは音響発生部材を操作するだけで画像を撮影することができるので、電子カメラを装着する部位が限定されない。
【００２３】
また、請求項１６に記載の発明では、メモ画像記録手段は、メモ画像撮影モードで撮影した画像を本画像撮影モードで撮影した画像を記録するフォルダとは別のフォルダに記録することを特徴とする請求項１２又は１４に記載の撮像装置を提供する。これにより、メモ画像撮影モードで撮影した画像の記録方法を本画像撮影モードによる画像の記録方法と変えてあるので、再生や整理がし易い。
【００２４】
また、請求項１７に記載の発明は、メモ画像記録手段は、メモ画像撮影モードで撮影した画像のサイズを本画像撮影モードで撮影した画像のサイズと異なるようにして保存メモリに記録することを特徴とする請求項１２又は１４に記載の撮像装置を提供する。これにより、メモ画像撮影モードで撮影した画像のサイズを本画像撮影モードで撮影した画像のサイズより小さくして保存メモリの記憶容量を節約することができる。
【００２５】
また、請求項１８に記載の発明では、メモ画像記録手段は、メモ画像撮影モードで撮影した画像の記録密度を本画像撮影モードで撮影した画像の記録密度と異なるようにして保存メモリに記録することを特徴とする請求項１２又は１４に記載の撮像装置を提供する。これにより、例えば、メモ画像撮影モードで撮影した画像の圧縮率を本画像撮影モードで撮影した画像の圧縮率より大きくして、保存メモリの記憶容量を節約できる。
【００２６】
また、請求項１９に記載の発明では、メモ画像記録手段は、所定のトリガの検出に基づく撮影画像を、周期的に記録した撮影画像を記録するフォルダと異なるフォルダに記録することを特徴とする請求項１３に記載の撮像装置を提供する。これにより、トリガを発して撮影した画像を直ちに再生できるし、必要に応じてその再生画像に関係する自動撮影画像を再生して経過を検証できる。
【００２７】
また、請求項２０に記載の発明では、メモ画像記録手段は、所定のトリガの検出に基づく撮影画像のサイズを、周期的に記録した撮影画像のサイズと異なるようにして保存メモリに記録することを特徴とする請求項１３に記載の撮像装置を提供する。これにより、メモ画像撮影モードにおいて、自動撮影により数多く撮影される画像のサイズをトリガの検出に基づく撮影画像や本画像撮影モードで撮影した画像のサイズより小さくして保存メモリの記憶容量を節約できる。
【００２８】
また、請求項２１に記載の発明では、メモ画像記録手段は、所定のトリガの検出に基づく撮影画像の記録密度を周期的に記録した撮影画像の記録密度と異なるようにして保存メモリに記録することを特徴とする請求項１３に記載の撮像装置を提供する。
これにより、例えば、メモ画像撮影において自動撮影により数多く撮影されるメモ画像の圧縮率をトリガの検出に基づく撮影画像や本画像撮影モードで撮影した画像の圧縮率より大きくして保存メモリの記憶容量を節約できる。また、トリガを発して撮影した画像の記録密度を高精密にすることにより、画像の資料又は証拠としての価値を高めることができる。
【００２９】
また、請求項２２に記載の発明では、メモ画像記録方法は、ユーザの発するトリガの検出に基づき、周期的に記録した撮影画像のうち最も新しい画像以外の画像を消去することを特徴とする請求項１３記載の撮像装置を提供する。これにより、メモ画像撮影モードにおいて自動撮影される数多くの画像のうち、ユーザが注目した被写体の画像のみを保存するので保存メモリの記憶容量を節約できる。
【００３０】
また、請求項２３に記載の発明では、被写体を撮影してその画像データを生成し、該画像データを所定のデータファイルとして保存メモリに記録する電子カメラにおいて実行可能なプログラムであって、電子カメラをユーザの身に付けて撮影を行うウエアラブル撮影モードを選択させるプログラムステップと、被写体像を画像データに変換してワークメモリに取り込ませるプログラムステップと、ユーザの発するトリガを検出させるプログラムステップと、トリガの検出に基づき、その時点でワークメモリに取り込まれる画像データをウエアラブル撮影モード以外の撮影モードで撮影した画像とは画像記録方法を変えて保存メモリに記録させるステップと、を含むことを特徴とする撮影制御プログラムを提供する。これにより、請求項１に記載の発明と同様の効果を得ることができる。
【００３１】
また、請求項２４に記載の発明では、被写体を撮影してその画像データを生成し、該画像データを所定のデータファイルとして保存メモリに記録する電子カメラにおいて実行可能なプログラムであって、電子カメラをユーザの身に付けて撮影を行うウエアラブル撮影モードを選択させるプログラムステップと、被写体像を画像データに変換してワークメモリに取り込ませるプログラムステップと、取り込まれた画像データを所定の周期で保存メモリに記録させるプログラムステップと、ユーザの発するトリガを検出させるプログラムステップと、トリガの検出に基づき、その時点でワークメモリに取り込まれる画像データを所定の周期で記録される画像とは記録方法を変えて保存メモリに記録させるプログラムステップと、を含むことを特徴とするウエアラブルカメラの撮影制御プログラムを提供する。これにより、請求項２に記載の発明と同様の効果を得ることができる。
【００３２】
また、請求項２５に記載の発明では、被写体を撮影してその画像データを生成し、該画像データを所定のデータファイルとして保存メモリに記録する第１のシャッターキーと第２のシャッターキーを備えた電子カメラにおいて実行可能なプログラムであって、電子カメラをユーザの身に付けて撮影を行う際に、それ以外の撮影で用いる第１のシャッターキーとは別の第２のシャッターキーの操作の有無を検出させるステップと、第２のシャッターキー操作が検出されると、その時点で取り込まれる画像データをウエアラブルな撮影以外の撮影モードで撮影した画像とは記録方法を変えて保存メモリに記録させるステップと、を含むことを特徴とするウエアラブルカメラの撮影制御プログラムを提供する。これにより、請求項３に記載の発明と同様の効果を得ることができる。
【００３３】
【発明の実施の形態】
＜実施の形態１＞
以下、本発明の実施の形態の一つを、デジタルカメラ等の電子カメラを例にして、図面を参照しながら説明する。
本実施の形態では、電子カメラは、撮影者がカメラを構えて所望の構図の画像を得る通常の撮影（以下、本画像撮影）と、カメラを身につけたままで自動撮影するウエアラブル撮影（以下、メモ画像撮影という（図９参照））を可能とするため、押し下げにより撮影を行う通常のシャッターキーに加え、音響等のトリガを検出したときをメモ画像の撮像指示があった時として、その時点のメモ画像を保存記録する。なお、ウエアラブル専用のカメラ、つまり、後述（図９（ｂ）、（ｃ））するように衣服や帽子等に装着して自動撮影するカメラでは通常シャッターキーは設けなくてもよい。
【００３４】
図１は、電子カメラの外観図である。電子カメラ１０は、図１（ａ）に示すように、カメラボディ１１の前面に、レンズ鏡筒部１２、ファインダ窓１３及びストロボ窓１４、マイク等の音響入力部２６などを備えるとともに、図１（ｂ）に示すように、上面に、第１のシャッターキー１５、ストロボオンオフキー１６及びセルフタイマーキー１７、及び紐通し用の止め具２９などを備え、また、図１（ｃ）に示すように、背面に、電源スイッチ１８、ズームボタン１９、記録／再生モード切り替えスイッチ２０、ファインダ接眼窓２１、液晶ディスプレイ２２及び複数の機能キー２３〜２５等を備えている。なお、音響入力部２６の位置はカメラ正面に限定されず、例えば、上面に設けてもよい。また、図１の例では電子カメラ１０は横長（横のサイズ＞縦のサイズ）としたが、図９（ｂ）および図１５（ｂ）に示すように縦長（縦のサイズ＞横のサイズ）でもよい。
【００３５】
ここで、本実施の形態では、第１から第３までの３個の機能キー２３〜２５を備えるものとし、且つ、第１の機能キー２３を後述のメニュー処理起動キー（以下「メニューキー２３」という。）に割り当て、また、第２の機能キー２４をカーソルの上下左右移動キー（以下「カーソルキー２４」という。）に割り当て、さらに、第３の機能キー２５を選択実行キー（以下「エンターキー２５」という。）に割り当てることにする。
【００３６】
レンズ鏡筒部１２は、光学ズーム機能付きの撮影レンズ群やメカニカルシャッター機構などを収めたものであり、レンズ鏡筒部１２の後端に配置された不図示のイメージセンサの受光面に被写体の像を結像させるものである。ファインダ窓１３は、カメラボディ１１の背面側のファインダ接眼窓２１と一体をなしており、目視で構図確認を行う際に用いられるものである。ストロボ窓１４は、後述のストロボ発光を通すための透過窓であり、撮影レンズ群の画角に合わせてストロボ発光の光束の広がりを調節するための小さなレンズが全面に並べられている。
【００３７】
シャッターキー１５は、撮影時に２段押しされるものである。１段目で露出等を設定し、２段目で画像をキャプチャ（記録）する。ストロボオンオフキー１６は、ストロボ発光を許容するか禁止するかを設定するものである。許容に設定されている場合、シャッターキー１５の１段目押し下げ操作時に露出不足が判定されると、画像キャプチャーの際に、後述するストロボ部３４を駆動してストロボ光を発射し、禁止に設定されている場合は、同ストロボ部３４の駆動を強制禁止する。
【００３８】
また、セルフタイマーキー１７はセルフタイマーのオンオフを切り替えるものであり、電源スイッチ１８は、電子カメラ１０の電源を入れたり切ったりするものである。ズームボタン１９は光学レンズの画角（すなわちズーム比）を変更するものである。「＋」側を押すと画角が小さくなり、「−」側を押すと逆に大きくなる。記録／再生モード切り替えスイッチ２０は、電子カメラ１０の動作モードを記録モードと再生モードに切り替えるものである。
【００３９】
液晶ディスプレイ２２は高解像度のカラー液晶ディスプレイである。この液晶ディスプレイ２２を用いて、記録済みの画像をいつでも自由に再生確認できるとともに、記録モードにおいては、スルー画像を表示させてファインダ代わりに用いることができ、さらに、逆光撮影などの際の自動露出が不適切であるときはスルー画像を見ながら手動で適正露出に設定したり、あるいは、ホワイトバランスの自動設定値が不適切であるときは同様にスルー画像を見ながら撮影光源に応じたホワイトバランス設定値を手動で選択したりすることができるようになっている。
【００４０】
図２は、電子カメラ１０の概念的な機能ブロック図である。このブロック図では、便宜的に、撮像部３２、画像処理部３３、ストロボ部３４、操作部３５、制御部３６、表示制御部３７、表示部３８（図１の液晶ディスプレイ２２に相当）及び画像記憶部３９、トリガ検出部４０などの各機能ブロックに分けられている。
【００４１】
撮像部３２は、撮影レンズ群やメカニカルシャッター機構などを含むとともに、被写体３１の像を撮像してカラー画像データを生成するＣＣＤ、ＣＭＯＳ等のカラーイメージセンサを含む。このカラーイメージセンサは、タイミング回路やサンプリングホールド回路及びアナログディジタル変換回路などの付帯回路を備え、制御部３６からの制御信号に基づいてシャッター速度や露出値などを可変的に設定するとともに、その設定値に対応したカラー画像データ（以下、単に画像データという。）を生成し、アナログディジタル変換回路でディジタル信号に変換して画像処理部３３に出力する。
【００４２】
画像処理部３３は、入力された画像データを輝度成分（Ｙ）と色成分（Ｃｒ、Ｃｂ）に分離し、制御部３６からの制御信号に基づいてホワイトバランス補正を施した後、そのホワイトバランス補正後のＹＣｒＣｂ信号を制御部３６に出力する。
【００４３】
ストロボ部３４は、制御部３６からの駆動信号に従って被写体３１を照明するための補助光（ストロボ光）３４ａを発射する。操作部３５は、カメラボディ１１に設けられた各種操作キー、すなわち、前述のシャッターキー１５、ストロボオンオフキー１６、セルフタイマーキー１７、メニューキー２３、カーソルキー２４及びエンターキー２５などの操作に応答したキー信号を生成して制御部３６に出力する。
【００４４】
制御部３６は、図３にそのブロック図を示すように、ＣＰＵ（Ｃｅｎｔｒａｌ  Ｐｒｏｃｅｓｓｉｎｇ  Ｕｎｉｔ）３６ａを備えるとともに、このＣＰＵ３６ａに、バス３６ｂを介して、プログラムメモリ３６ｃ、ワークメモリ３６ｄ、データメモリ３６ｅ、入力部３６ｆ及び出力部３６ｇ、タイマ３６ｈなどを接続して構成されている。ＣＰＵ３６ａはプログラムメモリ３６ｃに格納された所定の制御プログラムをワークメモリ３６ｄにロードして実行することにより、入力部３６ｆからのデータ（画像処理部３３からの画像データ、操作部３５からの各種キー信号、画像記憶部３９からの画像データ、トリガ検出部４０からのトリガ検出信号など）の取り込みや、出力部３６ｇへのデータ（撮像部３２へのシャッター速度や露出設定値の制御信号、画像処理部３３へのホワイトバランス補正制御信号、表示制御部３７への表示用信号、画像記憶部３９への記録用画像データ、ストロボ部３４へのストロボ駆動信号など、トリガ検出信号に基づく撮像指示信号）の書き出しを行いつつ、あるいは、後述のメニュー処理を実行したときには、そのメニュー処理で選択された各種設定値をデータメモリ３６ｅに不揮発的（電源をオフにしても情報を失わないこと）に書き込むなどして、電子カメラ１０の全体動作を制御する。
【００４５】
表示制御部３７は、制御部３６から出力されたスルー画像やプレビュー画像又は各種設定画面などの表示信号を表示部３８の表示形式に変換して当該表示部３８に出力するもので、これらの表示制御部３７及び表示部３８は一体として表示手段を構成する。
【００４６】
画像記憶部３９は、撮影画像（キャプチャ画像ともいう）を不揮発的に記録するための記録媒体で構成されており、たとえば、フラッシュメモリ等の半導体記憶デバイスや磁気メモリデバイスなどをその記録媒体に用いることができる。なお、画像記憶部３９は取り外し可能な状態で電子カメラに実装されていてもよい。
【００４７】
トリガ検出部４０は本実施例では音響入力部２６を含み、音響入力部２６で取りこんだ音響が所定の音域の音響（例えば、ホイッスル音、特定周波数帯の非可聴音等）である場合に、トリガ検出信号を生成し制御部３６に送出する。なお、音域はユーザが設定できるようにしてもよい。
【００４８】
次に、作用を説明する。図４は、制御部３６のＣＰＵ３６ａで実行される制御プログラムの全体的な概略を示すフローチャートである。なお、一般的な撮像・画像処理の詳細については記載を省略してある。このプログラムは、電源を投入したとき（図１の電源スイッチ１８をオンにしたとき）に実行を開始し、まず、ステップＳ１で動作チェックなどの初期設定を行った後、ステップＳ２でメニューキー２３が押されているか否かを判定し、押されていればステップＳ３に分岐して「メニュー処理」を実行してからステップＳ４のモード判定に進む一方、押されていなければそのままステップＳ４のモード判定に進み、ステップＳ４で記録／再生モード切り替えスイッチ２０の現在の切り替え状態から「記録モード」であるか「再生モード」であるかを判定して、その判定結果に応じた分岐処理（ステップＳ５の「再生モード処理」やステップＳ６の「記録モード処理」）を実行するという動作を繰り返す。
【００４９】
上記図４のフローチャートのステップＳ３の「メニュー処理」では、処理を選択するためのメニュー項目をはじめとした様々なメニュー項目がリスト状に表示されるようになっており、リストの最後には図４のループに復帰するためのメニュー項目（以下「閉じる」という。）が設けられている。
【００５０】
（記録モード処理）
図５は、図４のステップＳ６で実行される記録モード処理プログラムによる電子カメラの動作を示すフローチャートである。
なお、本実施例では入力音響をホイッスル音としたが、前述したように音響はホイッスル音に限定されない。また、本実施例では、図４のフローチャートのステップＳ３の「メニュー処理」で、シャッターキー１５を用いて撮影を行う「本画像撮影モード」と衣服等にカメラを装着し、ホイッスル音による撮影指示を行う「メモ画像撮影モード」の選択が行われるものとする。
【００５１】
図５で、撮像部３２を介して取り込んだ被写体像信号を画像処理部３３で処理して得た画像データをワークメモリ３６ｄに取り込み（ステップＳ６１）、ステップＳ３で選択された撮影モードが「本画像撮影モード」の場合はステップＳ６３に進み、「メモ画像モード」の場合はステップＳ６６に進む（ステップＳ６２）。なお、モード検出ステップが画像の取り込みステップより先にあっても良い（つまり撮影前にモードが設定されていてもよい）。
【００５２】
「本画像撮影モード」の場合は、表示制御部３７を介してスルー画像の表示処理を実行し（ステップＳ６３）、次に、シャッターキー１５からの信号の有無を調べ、シャッターキー１５の押し下げ操作があるとステップＳ６５に進み、そうでない場合はステップＳ６１に戻る（ステップＳ６４）。
【００５３】
上記ステップＳ６４でシャッターキー１５の操作（＝撮像指示）があったと判定があった場合は、その時点でワークメモリ３６ｄに取り込まれる１フレーム分の画像データを圧縮処理（例えば、ＪＰＥＧ圧縮）により圧縮して、画像記憶部（保存メモリ）３９の本画像フォルダに記録し、ステップＳ６１に戻る（ステップＳ６５）。
【００５４】
また、「メモ画像撮影モード」の場合は、トリガ検出部４０は音響入力部２６からの音響信号を調べ、入力した音響がホイッスル音の場合はトリガ検出信号を制御部３６に送り、ホイッスル音でない場合又は音響入力がなかった場合は、トリガ検出信号を送出しないので、制御部３６はトリガ検出部４０からの信号の有無を調べ、トリガ検出信号を受け取った場合は、ホイッスルによる撮像指示ありとしてステップＳ６７に進み、そうでない場合はステップＳ６１に戻る（ステップＳ６６）。
【００５５】
上記ステップＳ６６でホイッスル音による撮像指示があった場合は、その時点でワークメモリ３６ｄに取り込まれる１フレーム分の画像データ（画像ファイル）をデータ圧縮処理により圧縮して、画像記憶部（保存メモリ）３９のメモ画像フォルダに記録し、ステップＳ６１に戻る（ステップＳ６７）。
【００５６】
上記図５に示したフローチャートにより、撮影モードを「本画像撮影モード」に設定しておけば、被写体に対し電子カメラ１０を構えてシャッターキー操作による撮影を行う「本画像撮影」を行うことができ、「メモ画像撮影モード」に設定してから首に掛けたり、衣服や帽子に装着しておき、任意の時点でホイッスルを吹くことにより「メモ画像」を撮影することができる。この場合、ホイッスル音を犬笛のように非可聴音域の音とすると、通常時に周囲を驚かすことなくメモ画像撮影を行うことができる。例えば、図９（ｂ）、（ｃ）に示すようにガードマンや警官、或いは設備保安要員等の衣服や帽子に「メモ画像撮影モード」に設定した電子カメラ１０を装着するようにして、巡回の際、必要に応じてホイッスルを吹いてメモ画像を撮影することができるので、犯罪等があった場合の証拠写真や、被害状況等を迅速に撮影できる。
【００５７】
なお、本実施例では音響によりメモ画像を撮影するようにしたが、これに限定されない。例えば、ユーザの音声を認識してメモ画像を撮影するようにしてもよく、音響入力部２６の代わりに距離測定装置を設け、被写体との距離により自動的にメモ画像を撮影するようにしてもよい。また、音響入力部２６の代わりに振動センサ等を設け、ユーザの歩行停止（又は、開始）を検出するとメモ画像を自動撮影するようにしてもよい。
【００５８】
また、本画像撮影による画像のようにユーザが自分で撮影したかった画像（つまり、残しておきたい画像）と、メモ画像撮影による単純に記録、メモ代わりに用いる画像を図６に示すように別々のフォルダに記憶するようにしたので、用途別に利用する際、例えば、永久保存したい画像（本画像）をプリントしたり、整理して他のメモリにコピーしたりする場合や、巡回メモとして別途保管しておくような場合に便利である。図６の例では、本画像はＨ００１ｂ００１フォルダに、メモ画像はＭ００１ｃ００１フォルダに記憶される。
【００５９】
なお、撮影方法により画像の記録されかたを変える方法は上述したようなフォルダを別々にする方法に限定されない。例えば、ファイル名を本画像なら「ＨＯＮＧＡ−０１」〜「ＨＯＮＧＡ−Ｍ」、メモ画像なら「ＭＥＭＯ−０１」〜「ＭＥＭＯ−Ｎ」といったように明確に区別して画像記憶部３９に記憶するようにしてもよい。
【００６０】
記録方法を変える例としては、本画像撮影は写真サイズ、メモ画像撮影ではメモサイズといったようにデータのサイズを変える。例えば、図７に示すように、写真サイズでは２０４８×１５３６画素、メモサイズでは６４０×４８０画素とする。
【００６１】
更に、画質（記録密度）を変えて記憶するようにしてもよい。通常撮影時は圧縮率の低い高解像度（一般に、高精細、ファイン、ノーマルなどと呼ばれる）画像を、メモ画像撮影の時は圧縮率の高い低解像度（一般にエコノミーなどと呼ばれる）画像を画像記憶部３９に保存する。
【００６２】
この場合、図４のステップＳ３のメニュー処理で、図８に示すような撮影条件設定メニューを表示して、サイズを選択設定できるようにしてもよい。
【００６３】
図９は、ウエアラブルな使用方法の例を示す図であり、図９（ａ）は電子カメラ１０を止め具２９に通した紐３０でユーザ１の首に掛けて使用する例であり、ユーザ１は歩きながらホイッスルを適時吹いてメモ画像を撮影することできる。
また、長く保存しておきたいような被写体や構図を見つけた場合は、首から外して電子カメラ１０を構え、シャッターキー１５を操作して本画像撮影を行うことができる。
【００６４】
図９（ｂ）の例は、ユーザやガードマン等の衣服のポケット２に電子カメラ１０を入れて用いる例であり、ガードマン等は巡回しながら必要時にホイッスルを吹いてメモ画像を撮影することができる。また、証拠として保存しておきたいような被写体を見つけた場合は、首から外して電子カメラ１０を構え、シャッターキー１５を操作して本画像撮影を行うことができる。この例では、電子カメラ１０は縦長に構成されたものが望ましく、ポケット２から落ちないようにポケット２に係止可能に構成されている。
【００６５】
図９（ｃ）の例は、ガードマン等のヘルメット３に電子カメラ１０を装着して用いる例であり、ガードマン等は巡回しながら必要時にホイッスルを吹いてメモ画像を撮影することができる。つまり、不審者発見のような緊急時にホイッスルを吹くことにより周囲に知らせると共に手を使わなくても不審者をメモ撮影することができる。
【００６６】
なお、電子カメラ１０は、上記図９（ｂ）、図９（ｃ）のようなウエアラブル専用カメラとして用いる場合は、図１でシャッターキー１５は省略できる。また、この場合に、より簡易な構成として液晶ディスプレイ２２（及び図２の表示制御部３７、表示部３８）を省略することもできる。このようにした場合は、電子カメラ１０のサイズをより小さくできる。また、電源や画像記憶部３９の収容スペースを大きくすることもできる。さらに、撮影制御プログラムの構成は図５のフローチャートのうち、ステップＳ６２〜Ｓ６６を省略できる。
また、上記図５のステップＳ６５、Ｓ６７の画像圧縮処理はＣＰＵのフローではなく専用の画像処理チップを用いることもできる。
【００６７】
＜実施の形態２＞
上記実施の形態１では、「メモ画像撮影モード」のときはホイッスル音等により撮像指示を行うようにしたが、本実施の形態では、「メモ画像撮影モード」のときは、所定の周期で、自動撮影を行い、ホイッスル音等により、メモ画像の記録方法を変更する。
【００６８】
本実施の形態で用いる電子カメラの外観、構成及び機能と使用方法は、上記実施の形態１と同様でよい。また、制御部３６のＣＰＵ３６ａで実行される制御プログラムの全体的な動作も図３で示した制御プログラムの全体的な動作と同様でよい。
【００６９】
（記録モード処理）
図１０は、図４のステップＳ６で実行される記録モード処理プログラムによる電子カメラの動作を示すフローチャートである。
なお、本実施例では入力音響をホイッスル音としたが、前述したように音響はホイッスル音に限定されない。また、本実施例では、図４のフローチャートのステップＳ３の「メニュー処理」で、シャッターキー１５を用いて撮影を行う「本画像撮影モード」と衣服等にカメラを装着し、ホイッスル音による撮影指示を行う「メモ画像撮影モード」の選択が行われるものとする。また、この際、時間カウンタに値０がセットされるものとする。更に、メモ画像フォルダに記憶されるメモ画像の記録密度は本画像フォルダに記憶される本画像より小さいものとする。
【００７０】
図１０で、撮像部３２を介して取り込んだ被写体像信号を画像処理部３３で処理して得た画像データをワークメモリ３６ｄに取り込み（ステップＳ６１）、ステップＳ３で選択された撮影モードが「本画像撮影モード」の場合はステップＳ６３に進み、「メモ画像モード」の場合はステップＳ８１に進む（ステップＳ６２）。
【００７１】
「本画像撮影モード」の場合は、前述した図５のフローチャートのステップＳ６３〜ステップＳ６６と同様の動作で本画像を撮影し、画像記憶部３０の本画像フォルダに記憶してステップＳ６１に戻る動作を繰り返す（ステップＳ６３〜Ｓ６５）。
【００７２】
また、「メモ画像撮影モード」の場合は、トリガ検出部４０は音響入力部２６からの音響信号を調べ、入力した音響がホイッスル音の場合はトリガ検出信号を制御部３６に送り、ホイッスル音でない場合又は音響入力がなかった場合は、トリガ検出信号を送出しないので、制御部３６はトリガ検出部４０からの信号の有無を調べ、トリガ検出信号を受け取った場合は、ホイッスルによる撮像指示ありとしてステップＳ８５に進み、そうでない場合はステップＳ８２に進む（ステップＳ８１）。
【００７３】
上記ステップＳ８１でホイッスル音による撮像指示がなかった場合は、時間カウンタを調べ撮影周期が到来したか否かを調べ、時間カウンタの値＞ｔ（例えば、ｔ＝５秒）の場合は撮影周期到来と判定してステップＳ８３に進み、そうでない場合はステップＳ８４に進む（ステップＳ８２）。
【００７４】
撮影周期が到来した場合は、その時点でワークメモリ３６ｄに取り込まれる１フレーム分の画像データ（画像ファイル）をデータ圧縮処理により圧縮して、画像記憶部（保存メモリ）３９のメモ画像フォルダに記録し、ステップＳ６１に戻る。（ステップＳ８３）。
【００７５】
撮影周期が到来していない場合は、時間カウンタに所定値αを加えてステップＳ６１に戻る（ステップＳ８４）。
【００７６】
上記ステップＳ８１でホイッスル音による撮像指示があった場合は、その時点でワークメモリ３６ｄに取り込まれる１フレーム分の画像データ（画像ファイル）をデータ圧縮処理により圧縮して、画像記憶部（保存メモリ）３９の本画像フォルダに記録し（ステップＳ８５）、時間カウンタをゼロクリアしてステップＳ６１に戻る（ステップＳ８６）。
【００７７】
上記図１０に示したフローチャートにより、撮影モードを「本画像撮影モード」に設定しておけば、被写体に対し電子カメラ１０を構えてシャッターキー操作による撮影を行う「本画像撮影」を行うことができ、「メモ画像撮影モード」に設定してから首に掛けたり、衣服や帽子に装着しておけば所定周期でメモ画像が自動撮影される。更に、任意の時点でホイッスルを吹くことにより「メモ画像」のうち最新の画像を本画像として撮影することができる。
【００７８】
これにより、「メモ画像撮影モード」で、例えば、ガードマン等が巡回中、不審な人物を発見したような場合に、ホイッスルを吹くことによりその人物の画像がメモ画像より、高密度で撮影できる。また、その時撮影した本画像の撮影時刻を基に、メモ画像を調べると不審人物の挙動等がメモされているのでその人物の挙動を把握することができる。
【００７９】
なお、本実施例では「メモ画像撮影モード」で周期によりメモ画像を自動撮影し、全画像を記録するようにしたが、一定数のメモ画像を撮影するとそれ以上のメモ画像を記憶する際には、周期毎に一番古いメモ画像から循環的に消去するようにしてもよい。これにより、画像記憶部３０のメモリ容量による制約を免れることができる。また、常に記憶されて残るメモ画像数を所定数以上（たとえば、５秒おきに自動撮影する場合は１８０枚（１５分間分））にすることにより、上述したと同様の効果を得ることができる。また、メモ画像フォルダに階層を設けておき浅い順に消去するように構成してもよい。
【００８０】
また、本画像撮影による画像のようにユーザが自分で撮影したかった画像（つまり、残しておきたい画像）と、メモ画像撮影による単純に記録、メモ代わりに用いる画像を別々のフォルダに記憶するようにしたので、用途別に利用する際に便利である。
【００８１】
また、図１０のフローチャートのステップＳ８５ではホイッスル音のあったとき、画像を本画像フォルダに記憶するようにしたが、本画像フォルダ及びメモ画像フォルダ以外の画像フォルダ（例えば、緊急画像フォルダ）を設けその画像フォルダに記憶するようにしてもよい。
なお、撮影方法により画像の記録の仕方を変える方法は上述したようなフォルダを別々にする方法に限定されない。つまり、実施の形態１で説明した代替方法によることもできる。
また、上記図１０のステップＳ６５、Ｓ８３、Ｓ８５の画像圧縮処理はＣＰＵのフローではなく専用の画像処理チップを用いることもできる。
【００８２】
＜実施の形態３＞
上記実施の形態１ではホイッスル音等のトリガを検出した場合にメモ画像を撮影し、実施の形態２では、メモ画像を自動撮影し、ホイッスル音等のトリガを検出したとき、本画像を撮影するメモ画像の撮像指示があった時として、その時点の画像を別途記録するように構成したが、ウエアラブルカメラによる撮影方法はこれに限定されない。
【００８３】
本実施の形態では、電子カメラは、撮影者がカメラを構えて所望の構図の画像を得る通常の撮影（＝本画像撮影）と、カメラを身につけたままで所望のタイミングで撮影を行う撮影（＝メモ画像撮影）を可能とするため、押し下げにより撮影を行う通常のシャッターキー（以下、第１のシャッターキー）に加え、ウエアラブルな撮影状態を可能とする第２のシャッターキーを備えている。なお、ウエアラブル専用のカメラ、つまり、後述するように衣服や帽子等に装着して自動撮影するカメラでは第１のシャッターキーは設けなくてもよい。
【００８４】
図１１は、電子カメラ１００の外観図であり、図１１（ａ）〜図１１（ｂ）は実施の形態１で示した電子カメラ１０の外観（図１）と同様であるが、本実施の形態では、図１のシャッターキー１５を第１のシャッターキーとし、更に、図１１（ｄ）に示すように、下面に第２のシャッターキー２７を備えるように構成している。
【００８５】
また、本実施の形態では、第１から第３までの３個の機能キー２３〜２５についても実施の形態１と同様、第１の機能キー２３を後述のメニュー処理起動キーに割り当て、また、第２の機能キー２４をカーソルの上下左右移動キーに割り当て、さらに、第３の機能キー２５を選択実行キーに割り当てる。また、レンズ鏡筒部１２、ファインダ窓１３、ストロボ窓１４、ストロボオンオフキー１６、セルフタイマーキー１７、電源スイッチ１８、記録／再生モード切り替えスイッチ２０、及び液晶ディスプレイ２２の構成及び機能は図１の電子カメラ１０と同様とする。
【００８６】
第１のシャッターキー１５は、図１の場合と同様、撮影時に２段押しされるものである。１段目で露出等を設定し、２段目で画像をキャプチャ（記録）する。第２のシャッターキー２７には、図１１（ａ）、図１１（ｄ）に示すように紐２８が取り付けられており、撮影時に２段引きされるものである。１段目で露出等を設定し、２段目で画像をキャプチャ（記録）する。なお、紐２８の先端は紐２８を下方に引く際に指が滑らないように、図示のように環状に結び目が作られたり、或いは環状の部材や根付け等を取り付け可能に構成されている。なお、図１１では第２のシャッターキー２７を底面中央に設けたが第２のシャッターキーの位置は中央に限定されないし、底面に限定されない。
【００８７】
図１２は、電子カメラ１００の概念的な機能ブロック図である。このブロック図では、便宜的に、撮像部３２、画像処理部３３、ストロボ部３４、操作部３５、制御部３６、表示制御部３７、表示部３８（図１１の液晶ディスプレイ２２に相当）及び画像記憶部３９などの各機能ブロックに分けられている。
【００８８】
撮像部３２〜画像記憶部３９までの構成及び機能は、実施の形態１において示した図２の撮像部３２〜画像記憶部３９の構成及び機能と同様とする。また、制御部３６のＣＰＵ３６ａで実行される制御プログラムの全体的な動作も図３で示した制御プログラムの全体的な動作と同様でよい。また、図１３は、図１２の制御部の構成例を示すブロック図であり、符号が図３の制御部と等しい部分の構成及び機能は図３の対応する符号の部分の構成及び機能と同様である。
【００８９】
（記録モード処理）
図１４は、本実施の形態を適用した場合に図４のステップＳ６で実行される記録モード処理プログラムによる電子カメラの動作を示すフローチャートである。
図１４で、まず、撮像部３２を介して取り込んだ被写体像信号を画像処理部３３で処理して得た画像データをワークメモリ３６ｄに読み込み（ステップＳ１６１）、表示制御部３７を介してスルー画像の表示処理を実行する（ステップＳ１６２）。次に、第１のシャッターキー１５又は第２のシャッターキー２７からの信号の有無を調べ、第１のシャッターキー１５の押し下げ又は第２のシャッターキーの引き下げ操作があるとステップＳ１６４に進み、そうでない場合はステップＳ１６１に戻る（ステップＳ１６３）。
【００９０】
上記ステップＳ１６３で第１のシャッターキー１５又は第２のシャッターキー２７の操作（＝撮像指示）があったと判定した場合は、上記ステップＳ１６３で操作されたシャッターキーが第１のシャッターキー１５の場合はステップＳ１６５に進み、第２のシャッターキー１６の場合はステップＳ１６６に進む（ステップＳ１６４）。
【００９１】
第１のシャッターキー１５による撮像指示があった場合は、その時点でワークメモリ３６ｄに取り込まれている１フレーム分の画像データを圧縮処理（例えば、ＪＰＥＧ圧縮）により圧縮して、画像記憶部（保存メモリ）３９の本画像フォルダに記録し、ステップＳ１（図１）に戻る（ステップＳ１６５）。
【００９２】
また、第２のシャッターキー１５による撮像指示があった場合は、その時点でワークメモリ３６ｄに取り込まれている１フレーム分の画像データ（画像ファイル）をデータ圧縮処理により圧縮して、画像記憶部（保存メモリ）３９のメモ画像フォルダに記録し、ステップＳ１６１に戻る（ステップＳ１６６）。
【００９３】
上記図１４に示したフローチャートにより、撮影モードを「本画像撮影モード」に設定しておけば、被写体に対し電子カメラ１００を構えてシャッターキー操作による撮影を行う「本画像撮影」を行うことができ、「メモ画像撮影モード」に設定してから首に掛けたり、衣服や帽子に装着しておき、任意の時点で紐２８を引くことにより「メモ画像」を撮影することができ、前述した実施の形態１と同様の効果を得ることができる。また、撮影方法による記録方法の代替方法についても実施の形態１と同様に構成できる。
【００９４】
更に、第２のシャッターキーを設けるだけでよいので、実施の形態１の場合と比べ外部からのトリガの有無を検出する回路がいらないので、回路構成が複雑化しない。
また、上記図１４のステップＳ１６５、Ｓ１６６の画像圧縮処理はＣＰＵのフローではなく専用の画像処理チップを用いることもできる。
【００９５】
図１５は、ウエアラブルな使用方法の例を示す図であり、図１５（ａ）は電子カメラ１００を止め具２９に通した紐３０でユーザ１の首に掛けて使用する例であり、ユーザ１は歩きながら紐２８を引いてメモ画像を撮影することできる。また、長く保存しておきたいような被写体や構図を見つけた場合は、首から外して電子カメラ１００を構え、シャッターキー１５を操作して本画像撮影を行うことができる。
【００９６】
図１５（ｂ）の例は、ユーザやガードマン等の衣服のポケット２に電子カメラ１００を入れて用いる例であり、ガードマン等は巡回しながら必要時に紐２８を引いてメモ画像を撮影することできる。また、証拠として保存しておきたいような被写体を見つけた場合は、首から外して電子カメラ１００を構え、シャッターキー１５を操作して本画像撮影を行うことができる。
【００９７】
図１５（ｃ）の例は、ガードマン等のヘルメット３に電子カメラ１００を装着して用いる例であり、ガードマン等は巡回しながら必要時に紐２８を引いてメモ画像を撮影することできる。
【００９８】
なお、電子カメラ１００は、上記図１５（ｂ）、図１５（ｃ）のような場合でウエアラブル専用カメラとして用いる場合は、図１１のシャッターキー１５は省略できる。また、この場合に、より簡易な構成として液晶ディスプレイ２２（及び図１２の表示制御部３７、表示部３８）を省略することもできる。このようにした場合は、電子カメラ１００のサイズをより小さくできる。また、電源や画像記憶部３９の収容スペースを大きくすることもできる。さらに、撮影制御プログラムの構成は図１４のフローチャートのうち、ステップＳ１６２〜Ｓ１６６を省略できる。
【００９９】
また、実施の形態２において、電子カメラ１０に第２のシャッターキーを設けるように構成し、「メモ画像撮影モード」では通常は所定周期毎にメモ画像を撮影し、第２のシャッターキー操作があったときにメモ画像よりサイズが大きくて高密度な画像を撮影するように構成することもできる。
【０１００】
以上、本発明の幾つかの実施例について説明したが本発明は上記各実施例に限定されるものではなく、種々の変形実施が可能であることはいうまでもない。
【０１０１】
【発明の効果】
上記説明したように、本発明によれば、カメラを身につけて撮影するウエアラブルな撮影方法においてシャッター操作を行わずして撮影を行うことができ、ウエアラブルな撮影方法により撮影した画像と、それ以外の方法で撮影した画像の記録方法を異なるようにしているので、記録画像を出力したり整理する場合にどちらの方法で撮影した画像かが分かりやすく、便利である。
【０１０２】
また、ウエアラブルな撮影方法で撮影した画像とそれ以外の方法で撮影した画像のサイズや画質を変えて記録することもできるので、ウエアラブルな撮影方法で撮影した画像のサイズをそれ以外の方法で撮影した画像のサイズより小さくしたり記録密度を疎にして画像メモリを節約できる。
【図面の簡単な説明】
【図１】電子カメラの外観図である。
【図２】図１に示した電子カメラの概念的な機能ブロック図である。
【図３】図２の電子カメラの制御部の構成例を示すブロック図である。
【図４】図３の制御部のＣＰＵで実行される制御プログラムの全体的な概略を示すフローチャートである。
【図５】図４のステップＳ６で実行される記録モード処理プログラムの一実施例による電子カメラの動作を示すフローチャートである。
【図６】本画像とメモ画像を別々のフォルダに記録する例の説明図である。
【図７】本画像とメモ画像のサイズを異なるように記録する記録方法の一実施例を示す図である。
【図８】撮影条件設定メニューの一実施例を示す図である。
【図９】ウエアラブルな利用方法の例を示す図である。
【図１０】図４のステップＳ６で実行される記録モード処理プログラムの一実施例による電子カメラの動作を示すフローチャートである。
【図１１】電子カメラの外観図である。
【図１２】図１１に示した電子カメラの概念的な機能ブロック図である。
【図１３】図１２の電子カメラの制御部の構成例を示すブロック図である。
【図１４】図４のステップＳ６で実行される記録モード処理プログラムの一実施例による電子カメラの動作を示すフローチャートである。
【図１５】ウエアラブルな利用方法の例を示す図である。
【符号の説明】
１０、１００  電子カメラ（ウエアラブルカメラ）
１５  第１のシャッターキー
２７  第２のシャッターキー
３９  画像記憶部（保存メモリ）
【図１】
2004356970.tif 000003
【図２】
2004356970.tif 000004
【図３】
2004356970.tif 000005
【図４】
2004356970.tif 000006
【図５】
2004356970.tif 000007
【図６】
2004356970.tif 000008
【図７】
2004356970.tif 000009
【図８】
2004356970.tif 000010
【図９】
2004356970.tif 000011
【図１０】
2004356970.tif 000012
【図１１】
2004356970.tif 000013
【図１２】
2004356970.tif 000014
【図１３】
2004356970.tif 000015
【図１４】
2004356970.tif 000016
【図１５】
2004356970.tif 000017